(57)【要約】【課題】電気機器の使用状態に基づいて、利用者に電気機器の使用法に関する報知を行う電力供給装置、管理装置、及び電力管理システムを提供する。【解決手段】電源タップ２０は、電気機器を接続可能であり、当該電気機器に電力を供給する接続口２２と、接続口２２に接続された電気機器に供給される電力の電流及び位相差の少なくとも一方の値を含む時系列データ、当該時系列データから求められる特徴データ、又はその両方を含む計測データを取得する取得部２３と、取得部２３が取得した計測データを、該計測データに基づいて報知を行う報知装置に送信する通信部２４と、を備える。【選択図】図１
2012023893.tif 000002
【特許請求の範囲】
【請求項１】
電気機器を接続可能であり、当該電気機器に電力を供給する接続口と、
前記接続口に接続された前記電気機器に供給される電力の電流及び位相差の少なくとも一方の値を含む時系列データ、当該時系列データから求められる前記電気機器の特徴データ、又はその両方を含む、前記電気機器の計測データを取得する取得手段と、
前記取得手段が取得した前記電気機器の計測データを、ネットワークを介して、前記計測データに基づいて報知を行う報知装置に送信する送信手段と、
を備える、電力供給装置。
【請求項２】
前記計測データを前記ネットワークから受信する受信手段と、
前記受信手段が受信した前記計測データに基づいて、報知を行う報知手段と、
をさらに備える、請求項１に記載の電力供給装置。
【請求項３】
電気機器を接続可能であり、当該電気機器に電力を供給する一又は複数の接続口を備える電力供給装置とネットワークを介して接続される前記電気機器の管理装置であって、
前記接続口に接続された前記電気機器に供給される電力の電流及び位相差の少なくとも一方の値を含む時系列データ、当該時系列データから求められる前記電気機器の特徴データ、又はその両方を含む、前記電気機器の計測データを、前記ネットワークを通じて前記電力供給装置から受信する受信手段と、
前記受信手段が受信した前記計測データに基づいて、前記電気機器の使用法に関する報知データの生成を行う生成手段と、
を備える、管理装置。
【請求項４】
前記生成手段が生成した前記報知データに基づいて、報知を行う報知手段をさらに備える、請求項３に記載の管理装置。
【請求項５】
予め登録された計測データを記憶する記憶手段をさらに備え、
前記生成手段は、前記記憶手段が記憶している前記計測データと、前記受信手段が受信した前記計測データとに基づいて、前記報知データを生成する、請求項３又は４に記載の管理装置。
【請求項６】
電気機器を接続可能であり、当該電気機器に電力を供給する接続口と、
前記接続口に接続された前記電気機器に供給される電力の電流及び位相差の少なくとも一方の値を含む時系列データ、当該時系列データから求められる前記電気機器の特徴データ、又はその両方を含む、前記電気機器の計測データを取得する取得手段と、
前記取得手段が取得した前記計測データに基づいて、前記電気機器の使用法に関する報知データの生成を行う生成手段と、
前記生成手段が生成した前記報知データに基づいて、報知を行う報知手段と、
を備える、電力供給装置。
【請求項７】
予め登録された前記計測データを記憶するデータベースに対し、前記取得手段が取得した前記計測データを送信する送信処理と、前記データベースに登録された前記計測データを受信する受信処理とを行う通信手段をさらに備え、
前記生成手段は、前記通信手段が受信した前記計測データと、前記取得手段が取得した前記計測データとに基づいて、前記報知データを生成する、請求項６に記載の電力供給装置。
【請求項８】
予め登録された前記計測データを記憶する記憶手段をさらに備え、
前記生成手段は、前記記憶手段に登録された前記計測データと、前記取得手段が取得した前記計測データとに基づいて、前記報知データを生成する、請求項６に記載の電力供給装置。
【請求項９】
電力供給装置と、
電力管理装置と、
を備え、
前記電力供給装置は、
電気機器を接続可能であり、当該電気機器に電力を供給する接続口と、
前記接続口に接続された前記電気機器に供給される電力の電流及び位相差の少なくとも一方の値を含む時系列データ、当該時系列データから求められる前記電気機器の特徴データ、又はその両方を含む、前記電気機器の計測データを取得する取得手段と、
前記取得手段が取得した前記計測データを、前記電力管理装置に送信する送信手段と、
を有し、
前記電力管理装置は、
前記送信手段が送信した前記計測データを、前記電力供給装置から受信する受信手段と、
前記受信手段が受信した前記計測データに基づいて、前記電気機器の使用法に関する報知データの生成を行う生成手段と、
を有する、電力管理システム。
【発明の詳細な説明】
【技術分野】
【０００１】
本発明は、電気機器へ電力を供給する電力供給装置、電気機器の管理装置、及び電力管理システムに関する。
【背景技術】
【０００２】
近年の電気機器の普及により、オフィスや家庭内などで多くの電気機器が使用されており、その消費電力の増大が問題となっている。特に、電気機器の中には電力を供給する電源配線接続口（いわゆるコンセントなどの接続口）に接続している状態では、電源スイッチがオフであっても待機状態となり、待機電力を消費する電気機器が多く存在する。そこで、電源コンセントなど電力供給側で、電気機器の不要な電力消費を抑える省電力技術が求められている。
【０００３】
下記特許文献１に記載の電源タップは、電源配線接続口を備え、当該電源配線接続口に接続した電気機器に対して電力を供給する。そして、電源配線接続口に接続した電気機器と電力線通信を行い、電気機器から当該電気機器の電源管理に関する設定情報を受け取り、当該設定情報に基づいて、電源配線接続口への電力供給をオンオフする電源管理を行うものである。
【先行技術文献】
【特許文献】
【０００４】
【特許文献１】特開２００８−１９７７５５号公報
【発明の概要】
【発明が解決しようとする課題】
【０００５】
上記した特許文献１の電源タップにおいては、電源管理を行うための設定情報に基づいて電気機器の電源管理を行うことができるが、電気機器の使用中に消費する電力の削減を行うことはできず、利用者が電気機器を不適切に使用した場合、消費電力が増大するという問題点があった。
【０００６】
本発明は、かかる事情に鑑みて成されたものであり、電気機器の使用状態に基づいて、利用者に電気機器の使用法に関する報知を行う電力供給装置、管理装置、及び電力管理システムを提供することを目的とする。
【課題を解決するための手段】
【０００７】
本発明の第１の態様に係る電力供給装置は、電気機器を接続可能であり、当該電気機器に電力を供給する接続口と、前記接続口に接続された前記電気機器に供給される電力の電流及び位相差の少なくとも一方の値を含む時系列データ、当該時系列データから求められる前記電気機器の特徴データ、又はその両方を含む、前記電気機器の計測データを取得する取得手段と、前記取得手段が取得した前記電気機器の計測データを、ネットワークを介して、前記計測データに基づいて報知を行う報知装置に送信する送信手段と、を備えることを特徴とする。
【０００８】
第１の態様に係る電力供給装置によれば、取得手段は、接続口に接続された電気機器に供給される電力の電流及び位相差の少なくとも一方の値を含む時系列データ、当該時系列データから求められる当該電気機器の特徴データ、又はその両方を含む、当該電気機器の計測データを取得する。そして、送信手段は当該計測データを報知装置に送信する。したがって、報知装置は、当該電気機器の動作状態を判定し、当該動作状態に応じた当該電気機器の使用法に関する報知を行うことができる。
【０００９】
本発明の第２の態様に係る電力供給装置は、第１の態様に係る電力供給装置において特に、前記計測データを前記ネットワークから受信する受信手段と、前記受信手段が受信した前記計測データに基づいて、報知を行う報知手段と、をさらに備えることを特徴とする。
【００１０】
第２の態様に係る電力供給装置によれば、電気機器に供給される電力の電流及び位相差の少なくとも一方の値を含む時系列データ、当該時系列データから求められる当該電気機器の特徴データ、又はその両方を含む、当該電気機器の計測データを受信手段が受信する。報知手段は、当該計測データに基づくことで、当該電気機器の使用法に関する報知を行う。したがって、接続口に接続された電気機器の動作状態を基にした当該電気機器の使用法に関する報知を行うことができる。
【００１１】
本発明の第３の態様に係る管理装置は、電気機器を接続可能であり、当該電気機器に電力を供給する一又は複数の接続口を備える電力供給装置とネットワークを介して接続される前記電気機器の管理装置であって、前記接続口に接続された前記電気機器に供給される電力の電流及び位相差の少なくとも一方の値を含む時系列データ、当該時系列データから求められる前記電気機器の特徴データ、又はその両方を含む、前記電気機器の計測データを、前記ネットワークを通じて前記電力供給装置から受信する受信手段と、前記受信手段が受信した前記計測データに基づいて、前記電気機器の使用法に関する報知データの生成を行う生成手段と、を備えることを特徴とする。
【００１２】
第３の態様に係る管理装置によれば、受信手段は、接続口に接続された電気機器に供給される電力の電流及び位相差の少なくとも一方の値を含む時系列データ、当該電気機器の特徴データ、又はその両方を含む、当該電気機器の計測データを、電力供給装置から受信する。生成手段は、当該計測データに基づいて、当該電気機器の使用法に関する報知データの生成を行う。したがって、当該報知データに基づくことで、接続口に接続された電気機器の動作状態を基にした当該電気機器の使用法に関する報知を行うことが可能となる。
【００１３】
本発明の第４の態様に係る管理装置は、第３の態様に係る管理装置において特に、前記生成手段が生成した前記報知データに基づいて、報知を行う報知手段をさらに備えることを特徴とする。
【００１４】
第４の態様に係る管理装置によれば、報知手段は、電力管理装置の接続口に接続された電気機器の計測データに基づいて生成された報知データを基に、報知を行う。したがって、当該電気機器の動作状態を基にした当該電気機器の使用法に関する報知を行うことが可能となる。
【００１５】
本発明の第５の態様に係る管理装置は、第３又は第４の態様に係る管理装置において特に、予め登録された計測データを記憶する記憶手段をさらに備え、前記生成手段は、前記記憶手段が記憶している前記計測データと、前記受信手段が受信した前記計測データとに基づいて、前記報知データを生成することを特徴とする。
【００１６】
第５の態様に係る管理装置によれば、予め登録された計測データと、受信した計測データとを比べ、受信した計測データが異常な値であった場合、当該電気機器の動作が異常であるので注意する旨の報知を行うなど、電気機器の異常を検知した報知を行うことが可能になる。
【００１７】
本発明の第６の態様に係る電力供給装置は、電気機器を接続可能であり、当該電気機器に電力を供給する接続口と、前記接続口に接続された前記電気機器に供給される電力の電流及び位相差の少なくとも一方の値を含む時系列データ、当該時系列データから求められる前記電気機器の特徴データ、又はその両方を含む、前記電気機器の計測データを取得する取得手段と、前記取得手段が取得した前記計測データに基づいて、前記電気機器の使用法に関する報知データの生成を行う生成手段と、前記生成手段が生成した前記報知データに基づいて、報知を行う報知手段と、を備えることを特徴とする。
【００１８】
第６の態様に係る電力供給装置によれば、生成した報知データに基づいて報知を行うことで、接続口に接続された電気機器の動作状態を基にした当該電気機器の使用法に関する報知を行うことが可能となる。
【００１９】
本発明の第７の態様に係る電力供給装置は、第６の態様に係る電力供給装置において特に、予め登録された前記計測データを記憶するデータベースに対し、前記取得手段が取得した前記計測データを送信する送信処理と、前記データベースに登録された前記計測データを受信する受信処理とを行う通信手段をさらに備え、前記生成手段は、前記通信手段が受信した前記計測データと、前記取得手段が取得した前記計測データとに基づいて、前記報知データを生成することを特徴とする。
【００２０】
第７の態様に係る電力供給装置によれば、予めデータベースに登録された計測データと、取得した計測データとを比べ、取得した計測データが異常な値であった場合、当該電気機器の動作が異常であるので注意する旨の報知を行うなど、電気機器の異常を検知した報知を行うことが可能になる。
【００２１】
本発明の第８の態様に係る電力供給装置は、第６の態様に係る電力供給装置において特に、予め登録された前記計測データを記憶する記憶手段をさらに備え、前記生成手段は、前記記憶手段に登録された前記計測データと、前記取得手段が取得した前記計測データとに基づいて、前記報知データを生成することを特徴とする。
【００２２】
第８の態様に係る電力供給装置によれば、予め登録された計測データと、取得した計測データとを比べ、取得した計測データが異常な値であった場合、当該電気機器の動作が異常であるので注意する旨の報知を行うなど、電気機器の異常を検知した報知を行うことが可能になる。
【００２３】
本発明の第９の態様に係る電力管理システムは、電力供給装置と、電力管理装置と、を備え、前記電力供給装置は、電気機器を接続可能であり、当該電気機器に電力を供給する接続口と、前記接続口に接続された前記電気機器に供給される電力の電流及び位相差の少なくとも一方の値を含む時系列データ、当該時系列データから求められる前記電気機器の特徴データ、又はその両方を含む、前記電気機器の計測データを取得する取得手段と、前記取得手段が取得した前記計測データを、前記電力管理装置に送信する送信手段と、を有し、前記電力管理装置は、前記送信手段が送信した前記計測データを、前記電力供給装置から受信する受信手段と、前記受信手段が受信した前記計測データに基づいて、前記電気機器の使用法に関する報知データの生成を行う生成手段と、を有することを特徴とする。
【００２４】
第９の態様に係る電力管理システムによれば、生成した報知データに基づいて報知を行うことで、接続口に接続された電気機器の動作状態を基にした当該電気機器の使用法に関する報知を行うことが可能となる。
【発明の効果】
【００２５】
本発明によれば、電気機器の使用状態に基づいて、利用者に電気機器の使用法に関する報知を行う電力供給装置、管理装置、及び電力管理システムを提供することが可能となる。
【図面の簡単な説明】
【００２６】
【図１】本発明の実施の形態に係る電力管理システムの構成を概略的に示すブロック図である。
【図２】電力管理システムが行う電力状態報知処理の処理手順を示したフローチャートである。
【図３】ＬＥＤによって報知を行う電源タップを模式的に示した図である。
【図４】音によって報知を行う電源タップを模式的に示した図である。
【図５】ディスプレイによって報知を行う電源タップを模式的に示した図である。
【図６】電源タップを複数備える電力管理システムの構成を概略的に示すブロック図である。
【図７】本発明の第１の変形例に係る電力管理システムの構成を概略的に示すブロック図である。
【図８】本発明の第２の変形例に係る電源タップの構成を概略的に示すブロック図である。
【発明を実施するための形態】
【００２７】
以下、本発明の実施の形態について、図面を用いて説明する。なお、異なる図面において同一の符号を付した要素は、同一又は相応する要素を示すものとする。
【００２８】
本発明の実施の形態に係る電力管理システム１は、電気機器に対して電力を供給し、当該供給する電力を管理するシステムである。図１は、本発明の実施の形態に係る電力管理システム１の構成を概略的に示すブロック図である（ただし、図１では、接続口２２Ｂに電気機器３０Ｂが接続されており、接続口２２Ｃに電気機器３０Ｃが接続されている状態を例示している。また電気機器３０とは、電気機器３０Ｂ及び電気機器３０Ｃを含む、接続口２２に接続された電気機器のことである）。電力管理システム１は、電力管理装置である管理装置１０と電力供給装置である電源タップ２０とを備える。さらに、管理装置１０は、受信手段である通信部１１、記憶手段である記憶部１２、判定部１３、生成手段である生成部１４、及び報知手段である報知部１５を有している。電源タップ２０は、電力分配部２１、プラグ差込口である接続口２２（図１における参照符号２２Ａ〜２２Ｃ）、取得手段である取得部２３、送信手段である通信部２４、及び報知手段である報知部２５を有している。
【００２９】
電力管理システム１の各構成ブロックの接続関係を説明する。通信部１１の出力は、記憶部１２、判定部１３、及び電源タップ２０の通信部２４の入力に接続されている。記憶部１２の出力は、判定部１３の入力に接続されている。判定部１３の出力は、生成部１４及び記憶部１２の入力に接続されている。生成部１４の出力は、報知部１５及び通信部１１の入力に接続されている。電力分配部２１の出力は、接続口２２Ａ〜２２Ｃの入力に接続されている。接続口２２Ａ〜２２Ｃの各出力は、取得部２３の入力に接続されている。取得部２３の出力は、通信部２４の入力に接続されている。通信部２４の出力は、報知部２５及び管理装置１０の通信部１１の入力に接続されている。
【００３０】
電力管理システム１の電源タップ２０は、屋内電源配線などのプラグ差込口である電源配線接続口に接続するプラグを有している。当該プラグより供給される電力Ｓ１は、接続口２２Ａ〜２２Ｃそれぞれに分配され、接続口２２Ａ〜２２Ｃに接続される電気機器に対して電力が供給される。電力管理システム１はこれらの接続口２２に接続される電気機器３０に対して供給する電力を制御することで電力管理を行っている。
【００３１】
図２は、電力管理システム１が行う電力状態報知処理の処理手順を示したフローチャートである。接続口２２Ｂに電気機器３０Ｂが接続されている場合（図１の状態）を例として、電気機器３０Ｂに対する電力状態報知処理を行う際の電力管理システム１の動作の説明を、図２を用いて行う。まず、ステップＳＰ１００において、取得部２３は、電力分配部２１から接続口２２Ｂに供給されている電力の電流及び位相差の少なくとも一方を計測し、電流及び位相差の少なくとも一方の時系列データ、当該時系列データから求められる特徴データ、又はその両方を含む計測データを取得する。この特徴データとは、時系列データの所定期間における最大値や最小値、又は時系列データにおける平均値や分散などの統計データやそれらを分類した符号であってよく、取得した時系列データの電力的な特徴を有し、当該電力が供給される電気機器の動作の状態を判定できるものであればよい。そして、取得部２３は、取得した取得情報（計測データ）を信号Ｓ５として通信部２４に向けて出力する。通信部２４は、管理装置１０の通信部１１と通信を行い、取得情報を信号Ｓ６として送信する。信号Ｓ６により取得情報が入力された通信部１１は、記憶部１２及び判定部１３に向けて取得情報を信号Ｓ８及び信号Ｓ７として出力する。なお、取得部２３が行う計測データの取得は、常時行ってもよいし、所定の間隔で定期的に行ってもよい。
【００３２】
次に、ステップＳＰ１１０において、電力管理システム１は、現在接続口２２Ｂに接続されている電気機器３０Ｂが、利用者に対して報知すべき状態の動作を行っているか否かを判定する。具体的には、記憶部１２には、取得部２３が取得した過去の計測データ（例えば、過去に取得された時系列データや特徴データの平均値などを含んでもよい。つまり、計測データを統計的処理した値などの、取得部２３が取得した過去の計測データから求められる値を含んでもよい）が記憶されている。記憶部１２は、判定部１３に対して、これらの過去に取得した計測データを入力する。判定部１３は、入力された過去の計測データと取得部２３が取得した現在の計測データとに基づいて、電気機器３０Ｂが異常な動作をしているなどの、利用者に報知をすべき動作状態であるか否かを判定する。
【００３３】
判定部１３の行う電気機器の動作状態の判定は、例えば、過去に取得した電気機器の特徴データである供給される電流の最大値と、現在供給されている電流の値とを比較し、現在供給されている電流の値が当該最大値の１．５倍以上であれば、消費電流が過大である異常な動作をしていると判定してよい。また、例えば、過去に取得した電気機器の特徴データである供給される電流の最小値（ただし、電気機器が動作している間の電流の最小値）と、現在供給されている電流の値とを比較し、現在供給されている電流の値が当該最小値の０．５倍以下であれば、消費電流が過小である異常な動作をしていると判定してよい。なお、判定部１３が行う電気機器の動作状態の判定は、例示した判定方法以外にも、取得部２３が取得した現在の計測データと、過去に取得した計測データとに基づいて電気機器の動作状態を判定できるものであればよい。また、これらの動作状態の判定は、電流及び位相差の双方のデータを用いて判定を行ってもよいし、電流及び位相差のいずれか一方を用いて判定を行ってもよい。さらにまた、取得された時系列データ及び特徴データの双方を用いて判定を行ってもよいし、取得された時系列データ及び特徴データのいずれか一方を用いて判定を行ってもよい。
【００３４】
現在接続口２２Ｂに接続されている電気機器３０Ｂが、利用者に報知をすべき動作を行っていた場合（つまりステップＳＰ１１０における判定結果が「ＹＥＳ」である場合）、判定部１３は、電気機器３０Ｂの動作状態に関する情報を、信号Ｓ１０として生成部１４に向けて出力する。そして、電力管理システム１はステップＳＰ１２０の動作を行う。一方、現在接続口２２Ｂに接続されている電気機器３０Ｂが、利用者に報知をすべき動作を行っていなかった場合（つまりステップＳＰ１１０における判定結果が「ＮＯ」である場合）、判定部１３は、記憶部１２に向けて、電気機器３０Ｂの動作は正常であった旨の情報を信号Ｓ９として出力する。そして、電力管理システム１はステップＳＰ１３０の動作を行う。
【００３５】
ステップＳＰ１１０における判定結果が「ＹＥＳ」であり、現在接続口２２Ｂに接続されている電気機器３０Ｂが、利用者に報知をすべき動作を行っていた場合、ステップＳＰ１２０において、生成部１４は、入力された電気機器３０Ｂの動作状態に関する情報に基づいて、電気機器３０Ｂの動作状態の情報と使用法に関する情報とを含む報知情報（報知データ）を生成し、報知部１５及び通信部１１に対して信号Ｓ１１として出力する。通信部１１は電源タップ２０の通信部２４に対して報知情報を送信し、通信部２４は報知部２５に対して報知情報を入力する。そして、報知情報が入力された報知部１５及び報知部２５は、利用者に対して電気機器３０Ｂの動作状態及び使用法に関する情報の報知を行う。
【００３６】
図３は、ＬＥＤ（Light Emitting Diode）によって報知を行う電源タップ２０を模式的に示した図である。図３における電源タップ２０は、報知部２５としてＬＥＤ８０（図３における参照符号８０Ａ〜８０Ｃ）を備え、ＬＥＤ８０Ａは接続口２２Ａに接続された電気機器の動作に関する情報の報知を行う。ＬＥＤ８０Ｂは接続口２２Ｂに接続された電気機器の動作に関する情報の報知を行う。ＬＥＤ８０Ｃは接続口２２Ｃに接続された電気機器の動作に関する情報の報知を行う。これらのＬＥＤ８０が行う電気機器の動作に関する情報の報知は、例えば、ＬＥＤ８０が点灯している場合は、対応する電気機器は正常な動作を行っており、ＬＥＤ８０が点滅している場合は、対応する電気機器は異常な動作を行っているので当該電気機器の使用を中止するべきであるという旨の報知を行ってよい。また、ＬＥＤ８０が点灯する際の点灯色によって電気機器の動作状態に関する報知を行ってもよい。
【００３７】
図４は、音によって報知を行う電源タップ２０を模式的に示した図である。図４における電源タップ２０は、報知部２５としてスピーカ８１を備え、スピーカ８１は各接続口２２に接続された電気機器の動作に関する情報の報知を行う。スピーカ８１が行う電気機器の動作に関する情報の報知は、例えば、接続口２２Ｂに接続された電気機器が異常な動作を行っていると判定された場合、音声により「Ｂのコンセントに接続された機器が異常な動作を行っています。Ｂのコンセントに接続された機器の使用を中止してください」などの音声案内がされてよい。
【００３８】
図５は、ディスプレイによって報知を行う電源タップ２０を模式的に示した図である。図５における電源タップ２０は、報知部２５としてディスプレイ８２を備え、ディスプレイ８２は、各接続口２２に接続された電気機器の動作に関する情報の報知を行う。ディスプレイ８２が行う電気機器の動作に関する情報の報知は、例えば、接続口２２Ｂに接続された電気機器が異常な動作を行っていると判定された場合、図５に示したように「Ｂのコンセントの機器が異常です。機器の使用を中止してください」などといった文字列による情報の表示を行ってもよいし、電気機器の状態を表す記号や図形の表示で行ってもよい。
【００３９】
また、管理装置１０の報知部１５も、ディスプレイやスピーカなどを有し、情報の表示や音声による案内によって、電源タップ２０の接続口２２に接続された電気機器の動作状態及び使用法に関する報知を行ってもよい。
【００４０】
図２のフローチャートを参照して、ステップＳＰ１１０における判定結果が「ＮＯ」であり、現在接続口２２Ｂに接続されている電気機器３０Ｂが、利用者に報知をすべき動作を行っていなかった場合、ステップＳＰ１３０において、記憶部１２は、取得部２３がステップＳＰ１００にて取得した計測データに基づいて、これまで記憶していた過去の計測データを更新する。この更新は、取得部２３が取得した現在の計測データを、過去の計測データに加えて記憶するものであってもよいし、取得部２３が取得した現在の計測データと過去の計測データとに基づいて求められた値を、新たな過去の計測データとして記憶するものであってもよい。なお、現在接続口２２Ｂに接続されている電気機器３０Ｂが、利用者に報知をすべき動作を行っていない場合に、判定部１３は、電気機器３０Ｂの動作が正常であった旨の情報を、信号Ｓ１０として生成部１４に向けて出力し、生成部１４が生成した電気機器３０Ｂが正常な動作を行っている旨の報知データに基づいて、報知部１５及び報知部２５は、利用者に対して電気機器３０Ｂが正常な動作を行っている旨の報知を行ってもよい。
【００４１】
このようにステップＳＰ１００からステップＳＰ１３０の動作を接続口２２それぞれで行うことで、電力管理システム１は電力状態報知処理を行う。なお、電力状態報知処理において、電気機器３０が異常な動作を行っている場合を例示したが、本発明において、判定部１３が判定し、報知部１２及び報知部２５が報知を行う電気機器の状態は、異常な動作を行っている状態に限らず、その他、取得部２３が取得する接続口２２に接続された電気機器の計測データから判別できる状態であればよい。例えば、判定部１３において、過去に取得した電気機器の特徴データである供給される電流の最大値と、現在供給されている電流の値とを比較し、現在供給されている電流の値が当該最大値の１．２倍以上かつ１．５倍未満であれば、消費電流が通常の状態から増大していると判定を行い、生成部１４によって、電気機器の消費電力が増大しているので当該電気機器の使用法を見直す旨の助言を含む報知データを生成してもよい。この場合、報知部１５及び報知部２５は、利用者に対して、電気機器の消費電力が増大しているので当該電気機器の使用法を見直す旨の助言の報知を行う。
【００４２】
以上のように、電力管理システム１は、接続口２２に接続された電気機器の計測データを取得し、記憶部１２に記憶された過去の計測データと、取得部２３が取得した現在の計測データとに基づくことで、現在接続口２２に接続されている電気機器の動作状態を判定し、その判定結果に基づいて、当該電気機器の動作状態に応じた当該電気機器の使用法に関する報知を利用者に対して行うことが可能となる。
【００４３】
なお、本実施の形態において、電源タップ２０が一つの場合の電力管理システムを示したが、本発明において、電源タップ２０は一つに限るものではない。図６は、電源タップ２０を複数備える電力管理システム２の構成を概略的に示すブロック図である。電力管理システム２は、管理装置１０、電源タップ２０（図６における参照符号２０Ａ〜２０Ｃ）、及びネットワーク４０を備える。管理装置１０は、ネットワーク４０を介して電源タップ２０Ａ〜２０Ｃに接続されている。
【００４４】
電源タップ２０Ａ〜２０Ｃがそれぞれ有する取得部２３は、電源タップ２０Ａ〜２０Ｃの接続口２２にそれぞれ接続された電気機器３０の計測データを取得し、それぞれの電源タップ２０の各接続口２２に固有の識別情報を付与した取得情報として、ネットワーク４０を介して管理装置１０に送信する。管理装置１０は、受信した取得情報に、それぞれの電源タップ２０の各接続口２２に固有の識別情報が付与されているため、どの電源タップ２０のどの接続口２２に接続された電気機器３０の情報であるかを識別することができる。記憶部１２は、各電源タップ２０からネットワーク４０を介して送られてきた取得情報を、識別情報ごとの過去の計測データとして記憶する。そして判定部１３が記憶部１２に記憶されている過去の計測データと、各電源タップ２０の取得部２３が取得した計測データとに基づいて電気機器の動作状態の判定を行うので、管理装置１０の報知部１５は、それぞれの電源タップ２０の接続口２２に接続された電気機器の動作状態、及び当該電気機器の使用法に関する情報の報知を行うことができる。
【００４５】
また、管理装置１０は、ネットワーク４０を介して接続した全ての電源タップ２０が供給する電力の総計値から、電力管理システム２が電力管理する対象となっている電力システム全体の状態を判定し、電力システムの状態の情報及び当該電力システムの使用法に関する情報の報知を行ってもよい。
【００４６】
なお、通信部１１及び通信部２４が行う通信は、電力線通信、無線通信、及び有線通信など、管理装置１０と電源タップ２０とが通信機能によって情報の送受信を行える通信であればよい。
【００４７】
＜第１の変形例＞
本発明の第１の変形例に係る電力管理システム３は、電気機器に対して電力を供給し、当該供給する電力を管理するシステムである。図７は、本発明の第１の変形例に係る電力管理システム３の構成を概略的に示すブロック図である（ただし、図７では、接続口２２Ｂに電気機器３０Ｂが接続されており、接続口２２Ｃに電気機器３０Ｃが接続されている状態を例示している。また電気機器３０とは、電気機器３０Ｂ及び電気機器３０Ｃを含む、接続口２２に接続された電気機器のことである）。電力管理システム３は、電力供給装置である電源タップ６０、ネットワーク４１、及びデータベース５０を備える。さらに、電源タップ６０は、判定部１３、生成手段である生成部１４、電力分配部２１、プラグ差込口である接続口２２（図７における参照符号２２Ａ〜２２Ｃ）、取得手段である取得部２３、通信手段である通信部２４、及び報知手段である報知部２５を有している。
【００４８】
次に、電力管理システム３の各構成ブロックの接続関係を説明する。電力分配部２１の出力は、接続口２２Ａ〜２２Ｃの入力に接続されている。接続口２２Ａ〜２２Ｃの各出力は、取得部２３の入力に接続されている。取得部２３の出力は、通信部２４及び判定部１３の入力に接続されている。通信部２４の出力は、判定部１３及びネットワーク４１を介してデータベース５０の入力に接続されている。判定部１３の出力は、生成部１４及び通信部２４の入力に接続されている。生成部１４の出力は、報知部２５の入力に接続されている。
【００４９】
電力管理システム３の電源タップ６０は、屋内電源配線などのプラグ差込口である電源配線接続口に接続するプラグを有する。当該プラグより供給される電力Ｓ１は、接続口２２Ａ〜２２Ｃそれぞれに分配され、接続口２２Ａ〜２２Ｃに接続される電気機器に対して電力が供給される。この接続口２２から供給する電力を管理することで、電力管理システム３は電力管理を行っている。
【００５０】
電力管理システム３は、図２に示したフローチャートの処理手順である電力状態報知処理を行う。この電力状態報知処理にて行われる電気機器の動作状態の判定は、本発明の実施の形態にて示した方法と同様のものである。ただし、ステップＳＰ１００において、取得部２３は、取得した接続口２２に接続した電気機器３０に供給される電力の電流及び位相差の少なくとも一方の時系列データ、当該時系列データから求めた特徴データ、又はその両方を含む取得情報（計測データ）を、信号Ｓ５及び信号Ｓ１３として通信部２４及び判定部１３に向けて出力する。そして通信部２４は、取得情報をネットワーク４１を介してデータベース５０に向けて出力する。ステップＳＰ１１０において、判定部１３は、ネットワーク４１を介して、データベース５０に記憶されている過去に取得された計測データを問い合わせ、当該過去に取得された計測データと、取得部２３によって取得された電気機器３０の現在の計測データとに基づいて、接続口２２に接続されている電気機器の動作状態の判定を行う。そして、判定部１３は、当該判定結果の情報を、生成部１４とネットワーク４１を介してデータベース５０とに向けて出力する。
【００５１】
そして、ステップＳＰ１２０において、生成部１４は、利用者に対して電気機器の動作状態及び電気機器の使用法に関する報知を行う。ステップＳＰ１３０において、データベース５０は、判定部１３から入力された取得情報に基づいて、記憶している過去の計測データの情報を更新する。
【００５２】
したがって、第１の変形例に係る電力管理システム３を用いれば、管理装置１０を用いずとも、本発明の実施の形態において示した電力管理システム１と同様の効果を得ることが可能である（ただし、管理装置１０を備えていないので電力管理システム３は管理装置１０による報知を行うことはできない）。なお、図７において、電力管理システム３が備える電源タップ６０が一つの場合を例示したが、本発明の第１の変形例において、電源タップ６０は一つに限るものではなく、ネットワーク４１を介して複数の電源タップ６０を備えることが可能である。
【００５３】
なお、通信部１１及び通信部２４が行う通信は、電力線通信、無線通信、及び有線通信など、データベース５０と電源タップ６０とが通信機能によって情報の送受信を行える通信であればよい。
【００５４】
＜第２の変形例＞
本発明の第２の変形例に係る電源タップ７０は、電気機器に対して電力を供給し、当該供給する電力を管理する電力供給装置である。図８は、本発明の第２の変形例に係る電源タップ７０の構成を概略的に示すブロック図である（ただし、図８では、接続口２２Ｂに電気機器３０Ｂが接続されており、接続口２２Ｃに電気機器３０Ｃが接続されている状態を例示している。また電気機器３０とは、電気機器３０Ｂ及び電気機器３０Ｃを含む、接続口２２に接続された電気機器のことである）。電源タップ７０は、記憶手段である記憶装置１２、判定部１３、生成手段である生成部１４、電力分配部２１、プラグ差込口である接続口２２（図８における参照符号２２Ａ〜２２Ｃ）、取得手段である取得部２３、及び報知手段である報知部２５を備える。
【００５５】
次に、電源タップ７０の各構成ブロックの接続関係を説明する。電力分配部２１の出力は、接続口２２Ａ〜２２Ｃの入力に接続されている。接続口２２Ａ〜２２Ｃの各出力は、取得部２３の入力に接続されている。取得部２３の出力は、記憶部１２及び判定部１３の入力に接続されている。記憶部１２の出力は、判定部１３の入力に接続されている。判定部１３の出力は、生成部１４及び記憶部１２の入力に接続されている。生成部１４の出力は、報知部２５の入力に接続されている。
【００５６】
電源タップ７０は、屋内電源配線などのプラグ差込口である電源配線接続口に接続するプラグを有する。当該プラグより供給される電力Ｓ１は、接続口２２Ａ〜２２Ｃそれぞれに分配され、接続口２２Ａ〜２２Ｃに接続される電気機器に対して電力が供給される。この接続口２２から供給する電力を管理することで、電源タップ７０は電力管理を行っている。
【００５７】
電源タップ７０は、図２に示したフローチャートの処理手順である電力状態報知処理を行う。この電力状態報知処理にて行われる電気機器の動作状態の判定は、本発明の実施の形態にて示した方法と同様のものである。ただし、ステップＳＰ１００において、取得部２３は、取得した接続口２２に接続した電気機器３０に供給される電力の電流及び位相差の少なくとも一方の時系列データ、当該時系列データから求めた特徴データ、又はその両方を含む取得情報（計測データ）を、信号Ｓ１３及び信号Ｓ１７として判定部１３及び記憶部１２に向けて出力する。ステップＳＰ１１０において、判定部１３は、記憶部１２に記憶されている過去に取得された計測データを問い合わせ、当該過去に取得された計測データと、取得部２３によって取得された電気機器３０の現在の計測データとに基づいて、接続口２２に接続されている電気機器の動作状態の判定を行う。そして、判定部１３は、当該判定結果の情報を、生成部１４と記憶部１２とに向けて出力する。
【００５８】
そして、ステップＳＰ１２０において、生成部１４は、電気機器の動作状態の判定結果に基づいて、利用者に対して電気機器の動作状態及び電気機器の使用法に関する報知を行う。ステップＳＰ１３０において、記憶部１２は、判定部１３から入力された取得情報に基づいて、記憶している過去の計測データの情報を更新する。
【００５９】
したがって、第２の変形例に係る電源タップ７０を用いれば、接続口２２に接続された電気機器の計測データを取得し、記憶部１２に記憶された過去の計測データと、取得部２３が取得した現在の計測データとに基づくことで、現在接続口２２に接続されている電気機器の動作状態を判定し、その判定結果に基づいて、当該動作状態に応じた当該電気機器の使用法に関する報知を利用者に対して行うことが可能となる。
【００６０】
なお、本発明の実施の形態及び本発明の変形例において、電源タップ２０、電源タップ６０、及び電源タップ７０が有する接続口２２の数が三つの場合を例示したが、本発明において、電源タップが有する接続口２２の数は三つに限るものではない。
【００６１】
また、今回開示された実施の形態は、すべての点で例示であり制限的なものではないと考えられるべきである。本発明の範囲は、上記した意味ではなく、特許請求の範囲にとって示され、特許請求の範囲と均等の意味及び範囲内でのすべての変更が含まれることが意図される。
【符号の説明】
【００６２】
１、２、３  電力管理システム
１０  管理装置
２０、６０、７０  電源タップ
１１、２４  通信部
１２  記憶部
１３  判定部
１４  生成部
１５、２５  報知部
２１  電力分配部
２２Ａ〜２２Ｃ  接続口
２３  取得部
３０  電気機器
４０、４１  ネットワーク
５０  データベース
【図１】
2012023893.tif 000003
【図２】
2012023893.tif 000004
【図３】
2012023893.tif 000005
【図４】
2012023893.tif 000006
【図５】
2012023893.tif 000007
【図６】
2012023893.tif 000008
【図７】
2012023893.tif 000009
【図８】
2012023893.tif 000010